(57)【特許請求の範囲】
【請求項１】
固定フレーム（５０）と、
固定フレーム（５０）内において、固定フレーム（５０）から引き出された位置と、固定フレーム（５０）へ差し込まれた位置との間を動くことができる遮断器（１）と、  を備えた、プラグイン開閉装置であって、
遮断器（１）は、
少なくとも一対の接点（１１、１２）であって、少なくとも一対の接点（１１、１２）のうちの少なくとも１つの接点（１２）は、可動であり、且つ、他の接点（１１）に対して閉じ位置と開放位置を採ることができる、少なくとも一対の接点（１１、１２）と、  閉じばね（３４）と呼ばれるばねを有し、その閉じばね（３４）は力を蓄えた状態から緩められた状態まで動くように設計されている、ローディング及び閉じ機構（３０）と、  閉じばね（３４）をそれの力を蓄えた状態に保持可能に構成された、閉じラッチ（３８、１３８、２３８）と呼ばれるラッチであって、閉じばね（３４）が前記閉じばね（３４）の緩むときに可動接点（１２）を前記閉じ位置へ駆動する、ラッチと、  駆動部（４５、１４５）を備える駆動機構（４０、１４０、２４０）と、
を備えている、
プラグイン開閉装置において、
駆動機構（４０、１４０、２４０）は、閉じられた状態から引き外された状態まで動く引き外し機構（６０、１６０、２６０）を備え、
駆動部（４５、１４５）は、駆動機構（４０、１４０、２４０）の前記閉じ状態において閉じばね（３４）を、閉じばね（３４）の力を蓄えた状態へ動かし、且つ、引き外された状態においては、閉じばね（３４）を、閉じばね（３４）の力を蓄えた状態へ動かされない、ものとして構成されており、且つ、
遮断器（１）は前記引き出された位置と抜き出された位置との間で動くこともでき、前記引き出された位置は前記差し込まれた位置と前記抜き出された位置との間である、開閉装置であって、
この開閉装置は、
引き外し機構（６０、１６０、２６０）の制御手段（８０、１８０、２９０、３９０）であって、遮断器（１）が、抜き出される向きに、引き出された位置と抜き出された位置との間の閉じられた位置と呼ばれている中間位置を経て通り、かつ、この場合には引き外し機構（６０、１６０、２６０）をそれの引き外された状態まで動かす、という事実を検出できる、引き外し機構（６０、１６０、２６０）の制御手段（８０、１８０、２９０、３９０）を更に備える、ことを特徴とし、
かつ、開閉装置は、
閉じラッチ（３８、１３８、２３８）の制御手段であって、遮断器（１）が、抜き出しされる向きに、引き出された位置と抜き出された位置との間の閉じられた位置と呼ばれている中間位置を経て通り、かつ、この場合には閉じラッチ（３８、１３８、２３８）をそれの保持されていない位置まで駆動する、という事実を検出できる閉じラッチ（３８、１３８、２３８）の制御手段を備え、中間の引き外された位置は、引き出された位置と中間閉じ位置との間にあり、または、前記中間閉じ位置と明らかに同じ位置であり、且つ、
開き機構（２０）を更に備え、
この開き機構（２０）は、
力を蓄えた状態から緩められた状態まで、及び、緩められた状態から力を蓄えた状態まで、動くことができる開きばね（２４）と呼ばれる、ばねと、
開きばね（２４）をそれの力を蓄えた状態に保持するように構成された開きラッチ（２６、１２６、２２６、３２６）と呼ばれる、ラッチと
を備え、
開きばね（２４）は可動接点（１２）に組合わされ、それにより、開きばね（２４）が緩むと可動接点（１２）を開放位置へ駆動すると共に、可動接点（１２）がそれの閉じた位置へ動くと、開きばね（２４）が力を蓄える結果となる、
ことを特徴とし、かつ、
開閉装置は、開きラッチの制御手段（９０、１９０、２９０）を更に備え、
この開きラッチの制御手段（９０、１９０、２９０）は、
遮断器（１）が、抜き出される向きに、前記引き出された位置と前記引き外された位置との間の第１の開放位置と呼ばれている中間位置を経て通り、かつ、この場合には開きラッチ（２６、１２６、２２６、３２６）を保持されていない位置まで駆動する、
という事実を検出可能であり、
前記開きラッチ制御手段（９０、１９０、２９０）は、
抜き出される向きに、遮断器（１）が閉じられた位置と抜き出された位置との間の第２の開放位置と呼ばれている中間位置を経て通り、かつこの場合には開きラッチ（２６）を保持されていない位置まで駆動する、
という事実を検出するように更に設計されている
ことを特徴とする
開閉装置。
【請求項２】
中間の閉じられた位置及び中間の引き外された位置とは略同じであって、
閉じラッチ制御手段（８０、２９０、３９０）と引き外し機構制御手段（８０、２９０、３９０）は、共通に、可動要素（８２、２９２、３９２）と少なくとも１つのカム（５６）とを有し、
可動要素（８２、２９２、３９２）は受動位置と引き外し指令位置との間に遮断器（１）によって支持されており、
少なくとも１つのカム（５６）は、固定されているフレーム（５０）によって支持されており、
可動要素（８２、２９２、３９２）は、カム（５６）の引き外し指令表面（８１）と共に動作し、それにより、遮断器が、抜き出しの向きに、共通の中間の閉じられている位置と引き外されている位置とを経て通る時に、それの受動位置からそれの引き外し指令位置まで動く、
ことを特徴とする
請求項１に記載の開閉装置。
【請求項３】
開き機構（２０）を更に備え、
開き機構（２０）は、開きばね（２４）と呼ばれるばねと、開きラッチ（２６、１２６、２２６、３２６）と呼ばれるラッチと、を備え、
開きばね（２４）と呼ばれるばねは、力を蓄えられた状態から解放された状態まで、及び、解放された状態から力を蓄えられた状態まで、動くことができ、
開きラッチ（２６、１２６、２２６、３２６）と呼ばれるラッチは、開きばねをそれの力を蓄えられた状態に保持するように構成されており、
開きばね（２４）は可動接点（１２）に組合わされ、これにより、開きばね（２４）が緩むと可動接点（１２）を開放位置へ駆動し、かつ、可動接点（１２）がそれの閉じた位置へ動くと開きばね（２４）が力を蓄える結果となる、
ことを特徴とし、かつ、
開きラッチの制御手段（２９０）を更に備え、
開きラッチの制御手段（２９０）は、
遮断器が、抜き出しの向きに、引き出された位置と引き外された位置との間の第１の開放位置と呼ばれている中間位置を経て通り、かつ、この場合には開きラッチをそれの保持されていない位置まで駆動する、
という事実を検出できる、
ことを特徴とし、
開きラッチ制御手段（２９０、３９０）と引き外し機構制御手段（２９０、３９０）は、可動要素（２９２、３９２）と、固定されているフレーム（５０）によって支持されている少なくとも１つのカム（５６）と、を共通に有し、
可動要素（２９２、３９２）は、受動位置と引き外し指令位置との間に遮断器（１）によって支持され、かつ、他の２つの位置の間に配置されており、
可動要素（２９２）は、カム（５６）の第１の開き制御表面と共に動作し、これにより、可動要素（２９２）は、抜き出す向きに、遮断器が中間の開放位置を経て通る時に、それの受動位置からそれの第１の開き制御位置まで動き、
可動要素（２９２、３９２）は、カム（５６）の引き外し指令表面と共に動作し、これにより、可動要素（２９２、３９２）は、抜き出しの向きに、遮断器が中間の引き外された位置を経て通る時に、それの受動位置からそれの第１の引き外し指令位置まで動く、ことを特徴とする
請求項１又は２に記載の開閉装置。
【請求項４】
駆動部（４５）は回転でき、
駆動機構（４０）は、少なくとも１つのフリーホイールクラッチを備え、
少なくとも１つのフリーホイールクラッチは、
駆動部（４５）の１つの回転の向きの動きを伝え、かつ、他の回転の向きの動きを伝えない、ように構成されており、
引き外し機構（６０）は、
引き外し機構（６０）の引き外された状態において、前記フリーホイールクラッチを中立化するために構成されており、
これにより、駆動部（４５）の回転が２つの回転の向きのいずれにおいても伝えられない、
ことを特徴とする
請求項１乃至３のいずれか１つに記載の開閉装置。
【請求項５】
フリーホイールクラッチは、少なくとも１つの可動部（４４）を備え、  少なくとも１つの可動部（４４）は、
駆動部（４５）の動きの伝送を可能にするある閉じられた位置と、駆動部（４５）の動きの伝送を可能にしないある引き外された位置と、の間で動くことができ、かつ、  引き外し機構（６０）は、前記引き外された位置におけるフリーホイールクラッチの前記可動部（４４）を阻止する、阻止板（６２）を備える、
ことを特徴とする
請求項４に記載の開閉装置。
【請求項６】
駆動機構（１４０）は、回転駆動される部分（１４６）と、駆動される部分の１つの向きの回転を阻止するように構成されている少なくとも１つのフリーホイール継手（１４２、１４３）と、を備え、
引き外し機構（１６０）は、引き外し機構（１６０）の引き外された状態においては、フリーホイール継手（１４２、１４３）を中立化するように構成され、前記構成により、駆動される部分の回転が両方向で可能である、
ことを特徴とする
請求項１乃至５のいずれか１つに記載の開閉装置。
【請求項７】
固定フレーム（５０）と、固定フレーム（５０）内で引き出された位置と挿入された位置との間を動くことができる遮断器（１）と、を備え、
遮断器（１）は、少なくとも一対の接点（１１、１２）と、ローディング及び閉じ機構（３０）と、開き機構（２０）とを備え、
少なくとも一対の接点（１１、１２）のうちの少なくとも１つの接点（１２）は、閉じられた位置と開放位置との間を動くことができ、かつ、他方の接点（１１）に関してその閉じ位置を取ることができ、
前記ローディング及び閉じ機構（３０）は、
力を蓄えた状態から緩められた状態まで動くように構成された、閉じばね（３４）と呼ばれるばねと、
閉じばね（３４）をそれの力を蓄えた状態に保持するために構成された、閉じラッチ（３８）と呼ばれるラッチと、
を備え、
閉じばね（３４）が緩むと可動接点（１２）をそれの閉じられた位置へ駆動するようにして閉じばね（３４）は可動接点（１２）に関連させられ、
前記開き機構（２０）は、
力を蓄えた状態から緩められた状態まで、及び緩められた状態から力を蓄えた状態まで動くことができる開きばね（２４）と呼ばれるばねと、
開きばね（２４）をそれの力を蓄えた状態に保持するために構成された開きラッチ（２６）と呼ばれるラッチと、
を備え、
開きばね（２４）は可動接点（１２）に組合わされ、それにより、開きばね（２４）が緩むと可動接点（１２）を開放位置へ駆動し、かつ、可動接点（１２）がそれの閉じた位置へ動くと開きばね（２４）が力を蓄える結果となり、
前記開閉装置は、
遮断器（１）が、抜き出される向きに、引き出された位置と引き外された位置との間の第１の開放位置と呼ばれている中間位置を経て通り、かつ、この場合には開きラッチ（２６）をそれの保持されていない位置まで駆動する、という事実を検出できる、開きラッチの制御手段（９０）と、
遮断器が、抜き出される向きに、第１の開放位置と抜き出された位置との間の閉じ位置と呼ばれている中間位置を経て通り、かつ、この場合には閉じラッチ（３８）をそれの保持されていない位置まで駆動する、という事実を検出できる、閉じラッチの制御手段（８０）と、
を更に備え、
開きラッチは、抜き出しの向きに、遮断器がそれの中間の閉じた位置を通る前にそれの保持位置へ戻るように構成されており、
前記開きラッチ制御手段（９０）は、抜き出される向きに、遮断器（１）が閉じられた位置と抜き出された位置との間の第２の開放位置と呼ばれている中間位置を経て通り、かつ、この場合には開きラッチをそれの保持されていない位置まで駆動する、という事実を検出する、ように更に構成されている、
ことを特徴とする、開閉装置。
【請求項８】
開きラッチ制御手段（９０）は、
遮断器（１）が差し込みの向きに中間の第２の開放位置を通り、かつ、この場合には開きラッチ（２６）を開きラッチ（２６）の保持されていない位置まで駆動する、という事実と、
開きラッチは、遮断器（１）が差し込みの向きに遮断器（１）の中間の閉じた位置を通る前に遮断器の保持された位置へ戻るように構成されている、という事実と、  閉じラッチ制御手段（８０）は、遮断器が差し込みの向きに閉じられた位置と呼ばれている中間の位置を通り、かつ、この場合には閉じラッチ（３８）を閉じラッチ（３８）の保持されていない位置まで駆動する、という事実と、
開きラッチ制御手段（９０）は、遮断器（１）が中間の第２の開放位置を差し込まれる向きに通り、かつ、この場合には開きラッチを開きラッチの保持されていない位置まで駆動する、という事実と、
を検出できることを特徴とする
請求項７に記載の開閉装置。
【発明の詳細な説明】
【０００１】
【発明の属する技術分野】
本発明は、少なくとも一対の接点を備え、少なくとも１つの接点は可動であって、他方の接点に関して、機械的及び電気的な接触に対応する閉じた位置を取ることができ、エネルギー蓄積装置が設けられている閉じ装置が装着されている種類の、ＥＰ−Ａ−０，２２２，６４５号明細書に開示されている種類の遮断器に関する。
【０００２】
【従来の技術】
この種の既知の遮断器１の極１０及び開き機構２０が図１ないし図３に示されており、この遮断器のローディング及び閉じ機構３０を表す部分が、ロードされていない位置及びロードされた位置でそれぞれ図４及び図５に示されている。
【０００３】
極１０は一対のブレーク接点１１，１２を有する。接点１１は固定されており、接点１２は図１に示す開放位置と、図３に示す閉じた位置との間に移動可能に枢着されている。開放位置では接点１２は固定接点から分離されており、閉じた位置では接点１１と１２との間の機械的及び電気的な接触が行われている。極１０は消弧室１９と、遮断器１の背面から外側へ伸びて、接続端子片上の係合接点に係合するようになされた一対の主接点１４，１５も有する。遮断器１は、極軸１６に垂直な平行平面内に配置された複数の極１０を有する。極軸１６はそれらの極に共通である。極を閉じる指令及び開く指令は、極軸１６に固定されているレバーと共に動作する連結棒１３によって可動接点１２へ伝えられる。
【０００４】
開き機構２０はトグル機構２１を有する。このトグル機構は、ピボットスピンドルによって相互に関節状に連結されている２本の短い棒を有する。それらの棒の１本は、全ての極に共通な極軸のクランク２３に機械的に連結されている。このクランクは、棒１３とともに動作するレバーの１つを形成する。他の棒は、固定されているスピンドルに枢着されている引き外しフック２２に回転するようにして関節状に連結されている。開きばね２４が、クランク２３と固定されている固定ピンとの間に装着され、クランク２３を図１に示す開放位置へ、この図の逆時計回りの向きに戻そうとする。固定されているスピンドルを中心として回るレバーによって形成されている開きキャッチ２５が半月の形の開きラッチ２６によって制御される。開きキャッチ２５は、半月ラッチから離れ、フック２２へ接近する向きに、ばねによって偏倚させられている。開きラッチ２６はそれの保持される位置へ戻される。いいかえると、半月ラッチは、図２及び図３に示すように、開きキャッチ２５の回転とは反対の向きにばねによって偏倚させられている。開きキャッチ２５の端部の間に配置されているローラー２７が、図２及び図３の位置において、引き外しフック２２のＶ形くぼみとともに動作するように構成されている。フック２２はばねによって図１で逆時計回りの向きに偏倚させられて、フック２２上のトグル機構２１の関節軸とクランク２３上のトグル機構２１の関節軸との間の距離を短縮しようとする。
【０００５】
ローディング及び閉じ機構３０が、図４にそれのロードされていない状態で示されている。この機構は、固定されているスピンドル３２に回転可能に枢着されている駆動レバー３１を有する。少なくとも１つの閉じばね３４を有する可撓性エネルギー蓄積装置が、その一端を固定点に保持する状態で、その他端が駆動レバー３１のフィンガに枢着されている。駆動レバーは、駆動機構の軸４１にキーで止められているローディングカム４６と協働するように構成されているローラー３３を有している。カム４６は、固定されているスピンドル３７に枢着されている閉じラチェット３６と共に動作するローラー４７を有する。半月形の閉じラッチ３８がラチェット３６を図５の位置に固定する構成になっている。このラッチ３８はばねによってそれの閉じられた位置へ固定する側へ偏倚されている。ラチェット３６自体はばねによって図５に示されているそれの保持された位置へ偏倚されている。
【０００６】
開き機構とローディング及び閉じ機構とは、固定されている支えを構成する１つまたは複数のフランジに装着され、一方では図１及び図３の２つの投影面、及び他方では図４及び図５の２つの投影面が相互に略平行に配置されている。開き機構とローディング及び閉じ機構とが、駆動レバー３１にきつく係合されて、トグル機構２１と協働するために構成されているフィンガ３９によって結合されている。このフィンガは図１及び図４の断面にほぼ垂直な軸に従って延長している。開き機構とローディング及び閉じ機構の両方には、図で示したストッパが設けられている。
【０００７】
遮断器の開閉動作は図１乃至図５に図示できる。図４で、ローディング及び閉じ機構はそれのローディングされていない状態にあり、閉じばね３４は緩められており、ローラー４７は閉じラチェット３６に押し付けられ、半月形の閉じラッチが開かれて、閉じラチェット３６を非拘束状態にしている。図４のロードされていない状態から図５のロードされている状態への動きは、図において軸４１とカム４６との時計回り回転によって行われる。第１の段階では、ローラー４７がラチェット３６を放す。ラチェット３６は戻りばねの力のために図５に示されている位置へ動く。同時に、閉じラッチ３８が戻りばねの作用のために再び閉じ、ラチェット３６を所定位置に拘束する。回転を続けているカム４６が駆動レバー３１のローラー３３に接触するようになって、その駆動レバーを時計回り回転で図５の位置まで駆動する。その回転中に、駆動レバーはばね３４に力を蓄えさせる。図５に到達した位置では、カムは死点を通って力を受けることになり、ローラー３３はカムを時計回りに偏倚させるカムの領域に達し、ラチェット３６はローラー４７のストッパを形成し、時計回りの向きのどのような動きにも抗する。その後でこの機構はロードされる。
【０００８】
ラッチ３８の固定を外すことによって閉じばね３４は瞬時に緩む。この緩みによって、カム４６のローラー４７によって偏倚させられているラチェット３６が実際に放される。駆動レバー３１のローラー３３によってそれ自身偏倚されているカム４６は時計回りに回転し、ローラー４６を完全に放す。その結果、ばね３４の瞬時緩みのために駆動レバーが逆時計回りに瞬間的に回ることになる。閉じばねの緩み段階が終わると、この機構は図４に示す位置になる。
【０００９】
閉じばねのロード段階と緩み段階は、開き機構の状態がどのようなものであっても行うことができる。ロード段階中は、フィンガ３９はスピンドル３２を中心として時計回りに回る。逆のやり方で、緩み段階中は、フィンガ３９は逆時計回りに回ってそれの以前の位置へ戻る。
【００１０】
フィンガ３９のそれらの回りは、開き機構が最初に開いていたか、最初に閉じていたかに応じて、開き機構に異なる作用を及ぼす。
【００１１】
ロードされていない開閉装置が図１に示されている。そうするとフィンガ３９はトグル機構２１の１本の棒のくぼみを押して、それの戻りばねの偏倚作用のためにフック２２の逆時計回り回転に抗する。ロード段階中のフィンガ３９の回転によってトグル機構２１とフック２２が放される。トグル機構２１とフック２２は、フックの戻りばねの偏倚作用のために図２に表されている位置へ次第に動く。フック２２は逆時計回りに回転しており、トグル機構の端部の間の距離が短くなっている。フックは、開きキャッチ２５のストッパ２７と共に操作することによって、キャッチが開きラッチ２６の半月を越えて進むまで、それの戻りばねの偏倚作用のために開きキャッチ２５が逆時計回りに回転できるようにされる。その後でラッチはそれ自身の戻りばねの作用のために再び閉じ、開きラッチ２５が時計回りの向きに戻ることを阻止する。フック２２がそれの回転を終了すると、それのＶ形くぼみが開きキャッチ２５のストッパ２７と共に動作し、かつ、図２に示すように、ストッパ２７によってその位置に止められるようにして、その状態を保持する。その後で開き機構はロードされた開放位置にある。
【００１２】
閉じばねが緩むと、前記したように、フィンガ３９が回転させられる。フィンガは以前の軌道とは逆の軌道をたどる。そうすると、フィンガ３９はトグル機構２１の短い棒の１本を駆動する。フック２２は開きキャッチ２５のストッパ２７によってその位置に止められる。したがって、フック２２におけるトグル機構２１の関節軸は固定されたままで、動かされるのはクランク２３におけるトグル機構の関節軸で、それでクランク２３と、極軸１６と、レバーと、棒１３と、種々の極の可動接点１２とをそれらの閉じた位置へ動かす。開きばね２４だけは、クランク２３へのそれの取り付け点の動きのために極が閉じた時に、自動的に力を蓄えさせられる。この段階が終わると、開閉装置は閉じられてロードを解除される。開き機構は図３に示されている位置にあり、フィンガ３９は破線で示されている位置にある。トグル機構２１はそれの死点を僅かに越えて動いている。これは、トグル機構の棒の間の関節軸が、トグル機構の他の２本の関節軸を含んでいる平面の１つの側から他の側へ動いたこと、１本の棒が、フック２２に固定されている移動ストッパ２８の端部に押し付けられること、及びフィンガ３９とトグル機構２１との間にはもはやいかなる協働も存在しないいことを意味する。
【００１３】
ロードされていない閉じられた位置から、開きラッチ２６が保持を解除されたとすると、図１の位置に下記のようにして達する。開きラッチ２６の半月が開くと開きキャッチ２５が放され、したがって、フック２２が放される。開きばね２４が付勢されているために、トグル機構２１が、フック２２とトグル機構の共通関節を偏倚させる。この偏倚の結果として、フック２２を時計回りに回すトルクが全体的に生ずる。フック２２が時計回りに回ったことによってフックのトグル機構の関節軸が下がって、トグル機構をそれの死点を再び通らせて図１の位置へ折り返すことを可能にし、トグル機構２１は、ロードされていない位置においてフィンガ３９によって形成されているストッパに再び近付く。
【００１４】
ロードされていない閉じられた位置から再び出発して、ローディング機構をリセットすることもでき、一方、極は閉じられたままである。そうすると機構はそれのロードされていない閉じられた位置へ動かし、フィンガ３９を図３に実線で示されている位置へ動かす。このリセット動作に続いて、開きラッチが開いて開き機構を、トグル機構の折り曲げ運動がストッパによって停止させられず、続行できることを除いて、前に述べた開き動作に類似する動作によって図２のロードされた開放位置へ動かし、それでフック２２を駆動する。そうすると、開きキャッチ２５が開きラッチ２６の半月を通るまで、それの戻りばねの偏倚によってキ開きャッチ２５の逆時計回り回転を可能にする。その後で開きラッチ２６は戻りばねの偏倚によって再び閉じ、それの回転が終了すると、図２に示されている位置にそれ自身入れ替わる。その後で開き機構はロードされた開き位置にある。
【００１５】
したがって、図３のロードされた閉じられた位置から、図２の位置へ導く開き動作と、図３の、破線の、位置へ導く閉じ動作と、図１の位置へ導く開き動作とを、ローディング装置をリセットすることなく、連続して行うことが可能であることがわかる。この開き、閉じ、開き（ＯＣＯ）動作はこの種の遮断器の特徴である。
【００１６】
さらに正確にいえば、本発明は、プラグイン式で装着される、すなわち、固定フレームと呼ばれるフレームと、抜き出された位置と差し込まれた位置との間で固定フレームに関して動くことができる遮断器とを供える開閉装置内に統合された、この種の遮断器に関するものである。フレームは全体として箱形であって、遮断器を挿入できるようにするための開口部を前面パネルに有し、及び遮断器を支えて、抜き出された位置と差し込まれた位置との間で遮断器を案内するスライド部材を有する。抜き出された位置は、その位置で遮断器をフレームのスライド部材から外すことができる位置である。差し込まれた位置は、その位置で遮断器端子がフレームの対応する端子に固定される位置である。フレームの端子自体は、たとえば、外部母線によって、電気回路に接続されている。抜き出された位置と差し込まれた位置との間の中間位置は、とくに、遮断器とフレームとの間に電気的接触が存在しないが、それから、遮断器を差し込まれた位置まで次に動かすために伝動装置が起動するようになる位置である引き出された位置と呼ばれる位置と、遮断器の主回路、すなわち、上記端子が切り離されるが、補助電気回路がフレームに接続されている位置である試験位置と呼ばれる位置、が一般に顕著である。ある中間位置は相互にまたは端の位置に対して同一とすることができ、たとえば、抜き出された位置を引き出された位置と同じにでき、または引き出された位置を試験位置と同じにできる。遮断器の可動部を引き出された位置と挿入された位置との間で動かす伝動装置が、オペレータによって操作されるクランクによって全体として駆動される。それはモータで駆動することもできる。
【００１７】
プラグイン式のこの種の開閉装置では、抜き出し段階の終りに遮断器が開かれてロードされないように、遮断器をそれのフレームから抜き出すことを可能にする取扱い操作が自動動作を生じさせるという使用を強いる。この使用は、遮断器を取り扱わなければならない、または遮断器を取り外さなければならないことがあるオペレータに事故が起きるどのような危険も避けるための関心事に対応する。
【００１８】
従来は、この結果を達成するために、製造者逹は開閉装置が引き出された位置と差し込まれた位置との間に無い限り開きラッチと閉じラッチの両方がそれぞれの保持されていない位置に置かれるようにしている。この種の開閉装置はたとえばＥＰ−Ａ−０，２２７，５８６号公報に記載されている。この解決策は事故の危険回避の観点、及び装置の信頼性の観点からは完全には満足できるものではない。
【００１９】
装置の信頼性の観点からは、従来技術に従う抜き出し動作は２つの段階を有する。第１の段階は、開きラッチの保持を解除することであり、第２の段階は、閉じラッチの保持を解除し、開きラッチを開いたままにしておくことである。この第２の段階は無負荷放電または開放極における放電と呼ばれるある動作を生ずる。これはこれまで説明してきた動作とは異なる。遮断器が以前にそれのロードされた閉じられた状態にあったとすると、開き指令が実際にそれをまずロードされた開放状態へ動かす。その状態は、開きラッチがロードされていない閉じられた位置に保持されている、という事実によって図２の状態とは異なる。その後で極閉じ指令、すなわち、閉じているラッチの保持を解除する指令はローラー３３を放して駆動ローラー３１を、及びそれのフィンガ３９を瞬時に回転させる。開きキャッチ２５が保持されていないために、フック２２は自由に回転し、図１の位置へ直接動かされる。過剰の運動エネルギーはフックの移動ストッパの端部によって吸収されるが、正常なサイクルでは、このストッパは少量のエネルギーを吸収するだけである。したがって、この無負荷放電は、開閉装置が過大寸法であるか、それの耐久性が犠牲にされるかを意味する。
【００２０】
従来装置では、抜き出された位置における、開きラッチと閉じラッチは開かれた状態に維持される。しかし、再ローディングカムに作用するリセットレバーを操作することが常に可能である。ローディング移動が終わって、カム４６のローラー４７が閉じラッチ３６に接触するようになると、ラッチの回転が阻止されないという事実のためにカムの阻止は起きない。したがって、カムの回転は続行し、無負荷放電が得られる。
【００２１】
【発明が解決しようとする課題】
したがって、本発明の目的の１つは、簡単かつ経済的な装置によって、無負荷放電サイクルを制限するか、またはそれらを完全に避けることである。
【００２２】
【課題を解決するための手段】
本発明の第１の特徴に従って、この問題は、固定フレームと、固定フレーム内で引き出された位置と差し込まれた位置との間を動くことができる遮断器とを備え、遮断器は少なくとも一対の接点と、ローディング及び閉じ機構と、駆動機構とを備え、少なくとも一対の接点のうちの少なくとも１つが閉じ位置と開放位置との間を動くことができ、かつ他方に関してその閉じ位置を取ることができ、前記ローディング及び閉じ機構は、力を蓄えた状態から緩められた状態まで動くように設計された、閉じばねと呼ばれるばねと、閉じばねをそれの力を蓄えた状態に保持するために構成された、閉じラッチと呼ばれるラッチとを備え、閉じばねが緩むと可動接点をそれの閉じ位置へ駆動するようにして閉じばねは可動接点に関連させられ、駆動機構は駆動部を備える、プラグイン開閉装置において、駆動機構は、駆動部の作動によって閉じばねをそれの力を蓄えた状態へ動かすために構成されている閉じられた状態から、駆動部の作動によって閉じばねをそれの力を蓄えた状態へ動かさないめに構成されている引き外された状態まで動くために構成されている引き外し機構を備える開閉装置によって解決される。引き外し装置がそれの引き外された位置にある時は、閉じばねはもはやロードできない。駆動機構の駆動部の動作による無負荷放電の危険は、したがって、遮断器が抜き出される時と、遮断器が抜き出された時との両方で解消される。装置を保護することに加えて、この引き外し機構は人の安全のために決定的な利点をさらに提供する。開きラッチと閉じラッチが開かれている、抜き出された位置における現在の技術状態の装置は、実際には危険はない。ローディングカムの死点に達する前に、閉じばねを部分的にロードするように、遮断器ローディング装置の駆動部、すなわち、振動するローディングレバー、を動作させることがとくに可能である。部分的に再ロードされるローディング機構の状態は安定している。その理由は、フリーホイール継手がばねによって加えられる力に抗するためである。したがって、開閉装置の保守に従事しているオペレータは、それに気付かずに、閉じばねが部分的にロードされている遮断器に自身で直面できる。この状態で開閉装置を開くことは、それが下げられているように、なおさら潜在的に危険であり、したがって、再ロードレバーに加えられる最も僅かな作用が死点を越える結果となることがあり、かつ閉じばねが高速で放される。この観点から、引き外された状態にある引き外し機構はローディングカムにどのような動作も加えられること、及び閉じばねが、部分的にも、再ローディングされることを阻止する。
【００２３】
引き外し機構は手動操作によってそれの引き外された状態にセットできる。しかし、遮断器が引き出された位置と抜き出された位置との間の引き外された位置と呼ばれている中間位置を経て、抜き出される向きに通り、かつ、この場合には引き外し機構をそれの引き外された状態まで動かす、という事実を検出できる引き外し機構の制御手段と、かつ、遮断器が引き出された位置と抜き出された位置との間の閉じられた位置と呼ばれている中間位置を経て、抜き出しの向きに、通り、かつ、この場合には閉じラッチをそれの保持されていない位置まで駆動する、という事実を検出できる閉じラッチの制御手段を開閉装置が備えることが好ましい。中間引き外し位置は引き出された位置と中間閉じ位置との間に配置させられ、または後者の位置とかなり同じ位置である。得られた動作によって、閉じラッチが保持を解除された後は、閉じばねの不本意のいかなる再ローディング動作も避けることが可能にされる。
【００２４】
好適なやり方で、中間の閉じた位置と中間の引き外された位置は略同じであり、更に、閉じラッチ制御手段と引き外し機構制御手段は、受動位置と引き外し指令位置との間に遮断器によって支持されている可動要素と、固定されているフレームによって支持されている少なくとも１つのカムとを共通に有し、可動要素は、遮断器が共通の中間の閉じられている位置と引き外されている位置とを経て、抜き出しの向きに通る時に、それの受動位置からそれの引き外し指令位置まで動くように、カムの引き外し指令表面と共に動作する。この構成によって、組み立てが更に簡単で、とくに経済的な装置を得ることが可能にされる。
【００２５】
好適なやり方で、開閉装置は、一方では、力を蓄えられた状態から解放された状態まで、及び解放された状態から力を蓄えられた状態まで動くことができる開きばねと呼ばれるばねと、開きばねをそれの力を蓄えられた状態に保持するために構成された開きラッチと呼ばれるラッチとを備えて、開きばねが緩むと可動接点を開放位置へ駆動し、かつ、可動接点がそれの閉じた位置へ動くと開きばねが力を蓄える結果となるようにして開きばねは可動接点に組合わされるような、開き機構を更に備え、他方では、遮断器が、引き出された位置と引き外された位置との間の第１の開放位置と呼ばれている中間位置を経て、抜き出しの向きに、通り、かつ、この場合には開きラッチをそれの保持されていない位置まで駆動する、という事実を検出できる開きラッチの制御手段を更に備え、開きラッチ制御手段と引き外し機構制御手段とは、受動位置と引き外し指令位置との間に遮断器によって支持されて、他の２つの位置の間に配置されている第１の開き制御位置を経て通る可動要素と、固定されているフレームによって支持されている少なくとも１つのカムとを共通に有し、可動要素は、遮断器が中間の開放位置を経て、抜き出す向きに、通る時に、それの受動位置からそれの第１の開き制御位置まで動くように、カムの引き外し指令表面と共に動作する。この構成によって部品の数を制限し、組み立て作業及び調整設定作業を容易にすることにより、一層簡単にできる。第１の開放位置を通った後で開きラッチがそれの閉じられた位置へ戻ることができるか否かに応じて、遮断器が中間の閉じられた位置を通った時に閉じ指令が無負荷放電の可能性を排除し、または排除しない。更に可動要素は開き制御器、引き外し制御器及び閉じ制御器に共通にできる。そうすると部品の数を一層制限でき、かつ調整設定を一層容易にできる。
【００２６】
好ましくは、駆動部は回転し、駆動機構は、駆動部の１つの回転の向きの動きを伝え、かつ他の回転の向きの動きを伝えないように構成されている少なくとも１つのフリーホイールクラッチを備え、引き外し機構は、それの引き外された状態において、駆動部の回転が２つの回転の向きのいずれにおいても伝えられないように、前記フリーホイールクラッチを中立化するために構成されている。この実施形態によって、振動するレバーによって全体として形成されている駆動部を完全に切り離すことが可能にされる。更に正確にいえば、フリーホイールクラッチは、駆動部の動きの伝送を可能にする閉じられた位置と、駆動部の動きの伝送を可能にしない引き外された位置との間で動くことができる少なくとも１つの可動部を備え、引き外し機構は引き外された位置におけるフリーホイールクラッチの前記可動部を阻止する阻止板を備える。
【００２７】
他の実施形態によれば、駆動機構は回転駆動される部分と、駆動される部分の１つの向きの回転を阻止するように構成されている少なくとも１つのフリーホイール継手とを備え、引き外し機構は、駆動される部分の回転が両方向で可能であるように、それの引き外された状態においては、フリーホイール継手を中立化するように構成されている。この他の実施形態によって、閉じばねがそれの緩められた状態とそれの力を蓄えられた状態との間の部分的に力を蓄えられた状態にある時に、閉じばねを緩めることが可能にされる。この他の実施形態では、閉じラッチの保持を解除しても閉じばねに実際に何等の作用も及ぼさない。フリーホイール継手を中立化するとカムをローディングの向きとは逆の向きに回すことが可能にされ、したがって、閉じばねを緩めることが可能である。この他の実施形態は以前の実施形態に有用に組合わせることができる。中立化の前に駆動機構の駆動部を切り離すことによって、部分的に力を蓄えられた状態にある閉じばねの緩みが実際に可能にされ、それのエネルギーが駆動部へ伝えられることを阻止する。
【００２８】
本発明の他の特徴によれば、固定フレームと、固定フレーム内で引き出された位置と挿入された位置との間を動くことができる遮断器とを備え、遮断器は少なくとも一対の接点と、ローディング及び閉じ機構と、開き機構とを備え、少なくとも一対の接点のうちの少なくとも１つが閉じ位置と開放位置との間を動くことができ、かつ他方に関してその閉じられた位置を取ることができ、前記ローディング及び閉じ機構は、力を蓄えた状態から緩められた状態まで動くように構成された、閉じばねと呼ばれるばねと、閉じばねをそれの力を蓄えた状態に保持するために構成された、閉じラッチと呼ばれるラッチとを備え、閉じばねが緩むと可動接点をそれの閉じられた位置へ駆動するようにして閉じばねは可動接点に関連させられ、前記開き機構は、力を蓄えた状態から緩められた状態まで、及び緩められた状態から力を蓄えた状態まで動くことができる開きばねと呼ばれるばねと、開きばねをそれの力を蓄えた状態に保持するために構成された開きラッチと呼ばれるラッチとを備え、開きばねが緩むと可動接点を開放位置へ駆動し、かつ、可動接点がそれの閉じた位置へ動くと開きばねが力を蓄える結果となるようにして開きばねは可動接点に組合わされ、前記開閉装置は、遮断器が引き出された位置と引き外された位置との間の第１の開放位置と呼ばれている中間位置を経て、抜き出される向きに、通り、かつ、この場合には開きラッチをそれの保持されていない位置まで駆動する、という事実を検出できる開きラッチの制御手段と、遮断器が、第１の開放位置と抜き出された位置との間の閉じ位置と呼ばれている中間位置を経て、抜き出される向きに、通り、かつ、この場合には閉じラッチをそれの保持されていない位置まで駆動する、という事実を検出できる閉じラッチの制御手段とを更に備えるプラグイン開閉装置において、それの開きラッチは、遮断器がそれの中間の閉じた位置を、抜き出しの向きに、通る前にそれの保持位置へ戻るように構成され、前記開きラッチ制御手段は、遮断器が閉じられた位置と抜き出された位置との間の第２の開放位置と呼ばれている中間位置を経て、抜き出される向きに、通り、かつ、この場合には開きラッチをそれの保持されていない位置まで駆動する、という事実を検出するために更に構成されているプラグイン開閉装置によって問題は解決される。このように緩んだ時に閉じ指令と開き指令との順序を変更することによって、この技術状態の無負荷放電サイクルが阻止される。その理由は、それが完全ＯＣＯサイクルによって置き換えられるためである。ＯＣＯ放電サイクルが開閉装置内での遮断器の配置によって制御されるという事実が装置の実現を非常に融通性に富むものにする。とくに、ある用途のためにＯＣＯ放電サイクルが望ましくないとすると、制御手段の非常に簡単な変更によって他の放電動作を選択することが可能である。開きラッチ制御手段は、遮断器が差し込みの向きに中間の第２の開放位置を通り、かつ、この場合には開きラッチをそれの保持されていない位置まで駆動する、という事実を検出でき、開きラッチは、遮断器がそれの中間の閉じた位置を、差し込みの向きに、通る前にそれの保持された位置へ戻るように構成され、閉じラッチ制御手段は、遮断器が差し込みの向きに閉じられた位置と呼ばれている中間の位置を通り、かつ、この場合には閉じラッチをそれの保持されていない位置まで駆動する、という事実を検出でき、開きラッチ制御手段は、遮断器が中間の第２の開放位置を差し込まれる向きに通り、かつ、この場合には開きラッチをそれの保持されていない位置まで駆動する、という事実を検出できることが好ましい。これによって、差し込みが行われる時にも無負荷放電を阻止できる。
【００２９】
このＯＣＯ動作は、抜き出しが行われる時に、前記した種類の引き外し機構に組合わせることが好ましい。この組合わせによって、抜き出し中と、抜き出された遮断器とに対して無負荷放電を阻止することが可能にされる。
【００３０】
実際には、引き外しラッチの制御手段と、閉じラッチの制御手段と、引き外し機構の制御手段とは、１つまたは複数のカムすなわち開閉装置のフレームに固定されている接触表面を有し、可動追従要素、たとえば、レバーまたはスライダー、と共に動作し、情報を直接に、または連結棒系を介して、関連する機構、すなわち、開きラッチ、閉じラッチ及び引き外し機構へ伝える。したがって、カムの接触表面を変更することにより、または可動追従要素の移動を移動ストッパによって制限することによって、装置が動作させられる段階まで、本発明の動作と従来の動作との間の選択を延期することが可能である。
【００３１】
【発明の実施の形態】
本発明の他の利点及び他の特徴は、非限定的な例としてのみ与えられ、かつ添付図面で表されている本発明の種々の実施形態から一層明確に明らかになるであろう。
【００３２】
プラグイン遮断器の固定されている外部フレーム５０が図６に示されている。このフレームは、配電系統の母線に接続するための端子片５１をそれの裏面に有する。フレームの側壁５３と５４に、遮断器の抜き出された位置とそれの差し込まれた位置との間でのそれの移動運動を支持し、案内するために構成されたスライド部材５５が配置されている。側壁５３にはカム５６が取り付けられている。フレームはそれの下側部分に、長手方向主軸５７を有する引き込み機構も有する。主軸の自由端部は、操作クランク及び横カウンタギヤ軸５８と共に動作するように構成されている。そのカウンタギヤはカウンタギヤトランスミッション（図示せず）によって主軸５７に連結されている。横軸５８にはめば歯車５９の２つのセクタを支持している。各はめば歯車は引き込みカムに係合している。主軸５７が回転するとカムが通常のようにして回転させられる。そうすると遮断器のローラーが引き出された位置と差し込まれた位置との間で可逆的に駆動される。
【００３３】
図７は外部フレーム５０から引き出された遮断器１を示す。遮断器の極区画壁２を後部に見ることができる。極の構造は図１ないし図５に示したものに類似する。前面部は開き機構２０の種々の要素と、ローディング及び閉じ機構３０の種々の要素とのための支えとして作用する左フランジ３及び右フランジ４を有する。
【００３４】
図７はローディングカム４７の駆動機構４０の駆動部を構成している傾動操作レバー４５も示す。駆動される部分は軸４１（図４）である。レバー４５は、軸４１と同一であるそれの幾何学的枢軸を中心として、図７に表されている持ち上げられた位置と、それから９０°離れて配置されている下げられた位置との間で傾動する。クランク１７が固定されている極軸１６を図７で見ることもできる。クランクは、一方ではトグル機構２１の一端部に関節状に連結され、他方では１つの遮断器極の棒１３に関節状に連結されている。他の極については、棒１３は、極軸１６に固定されているレバーに関節状に連結されている。
【００３５】
軸４１の駆動機構４０の中間要素と、ローディングカム４７の中間要素を図８ないし図１０に見ることができる。図８では、軸４１にキーで止められているラックホイール４２を示すために傾動レバー４５は除かれている。ラックホイール４２は、スピンドルがフランジ４によって支持されている戻り防止キャッチ４３と共に動作する。このキャッチ４３はラックホイールの、図８で時計回りの、回転を阻止する。したがって、ラックホイール４２とキャッチ４３は、軸４１またはローディングカム４７と、遮断器１に固定されている支持フランジ４との間のフリーホイール継手を一緒に構成する。傾動レバー４５は、円筒形縁部を図９に断面で見ることができるディッシュに固定されている。見ることができないディッシュのベースは図９の紙面内を延長して、駆動ラチェット４４のスピンドルを支持する。ラチェット４４は、ラチェット４４及び傾動レバー４５に対するラックホイール４２の時計回りの回転運動に抗するようにして、ラックホイール４２と共に動作する。したがって、ラックホイール４２は、駆動部４５と、駆動される部分を構成する軸４１またはカム４７との間にフリーホイールクラッチをラチェット４４と共に構成する。
【００３６】
遮断器は、軸４１の軸線に関して枢着されているラチェットキャッシュレバー６１を有する引き外し機構６０も備えている。このラチェットキャッシュレバー６１は、軸４１の軸線に略平行に延長しているプレート６２を支持している。ラチェットキャッシュレバー６１の位置に従って、このプレート６２は図９で見ることができる引き出された位置と、図１０で見ることができる能動位置との間を動くことができる。
【００３７】
遮断器は引き外し機構６０と閉じラッチ３８との共通の制御器８０も有する。制御器８０の一部が遮断器の固定フレーム５０によって支持されており、それはカム５６の第１の表面（図１１）によって形成されている。制御器８０の他の部分が遮断器の上に配置されており、操作レバー８２（図８）を有する。操作レバー８２は、表面８１と共に動作するように構成された駆動アーム８３と、スライド関節によって中間レバー８５に関節状に連結されている駆動されるアーム８４とを有する。関節は、アーム８４に固定されて、中間レバー８５の引き伸ばされた穴の中を滑るスライド部材を有する。この中間レバーは滑り関節によってラチェットキャッシュレバー６１のアームにも関節状に連結されている。中間レバー８５は、閉じラッチ３８のフィンガと共に動作するために構成されたアームも有する。制御器８０は遮断器の唯一の制御器を構成するものではないことが明らかである。それは、本発明の範囲に含まれていない他の閉じ制御器に当然重ね合わされる。その制御器の中で遮断器の前面パネル上の押しボタンによるものがある。
【００３８】
遮断器は開きラッチ２６の操作機構９０も含む。この操作機構９０は、本発明の範囲に含まれていないが、とくに、差し込まれている位置にある遮断器を開くことの指令（押しボタンにより、または電気的制御により）、または差し込まれている位置と引き出された位置との間にある遮断器を開くことの指令（１組のレバー及びカムにより）を発するという目的を果たす、開きラッチに指令を発する１つまたは複数の制御器に重ね合わされることが当業者には明らかであろう。操作機構９０の一部が固定フレームの上に配置されており、それはカム５６の第２の表面９１によって形成されている。操作機構の他の部分が可動部として配置されており、その部分は表面９１と共に動作するために構成されている開きラッチ操作レバー９２を有する。開きラッチ操作レバー９２はばねによって休止位置に押されている。それは、ばねの戻し力に抗する開きラッチの動きが開きラッチ２６をそれの開放位置へ駆動し、かつ逆のやり方で、休止位置にある開きラッチ操作レバー９２は、開きラッチ２６の位置がどのようなものであっても、開きラッチ２６と相互作用しない。
【００３９】
次にこの装置の動作を説明する。
差し込まれた位置と、図１１に示されている引き出された位置との間で、第１の表面８１が操作レバー８２の駆動アーム８３を持ち上げられた位置に保持し、それによってレバー８５は戻しばねの力に抗して図９の位置に保持される。この位置では、ラチェットキャッシュレバー６１のプレート６２は駆動ラチェット４４とは相互作用しない。同様に、閉じラッチ３８の位置がどのようであっても、中間レバー８５は閉じラッチとは相互作用しない。更に、第２の表面９１は開きラッチ操作レバー９２と相互作用しない。したがって、開きラッチ操作レバー９２はそれの休止位置に残り、その休止位置では、開きラッチ２６の位置がどのようであっても、開きラッチ操作レバー９２は開きラッチとは相互作用しない。
【００４０】
遮断器がそれのフレーム内の引き出された位置から抜き出された位置まで矢印Ｄの向きに次第にフレームから出されると、操作レバー８２と開きラッチ操作レバー９２がカム５６に対して、図１２ないし図１４に示されている位置を順次取る。図１２に概略示されている第１の段階では、フレーム５０からＤの向きの遮断器１の動きによって開きラッチ操作レバー９２とカム５６の第２の表面９１の斜面とが協働させられて、開きラッチ操作レバー９２を下げられた位置へ動かし、それによって開きラッチ２６を開かせる第１の段階が終わると、開き機構は、それの最初の状態に応じて、図１に示されているそれのロードされていない開き状態、または図２に示されているそれのロードされた開き状態のいずれかにある。第２の段階では、図１２の位置と図１３の位置との間で、開きラッチ操作レバー９２は放され、戻しばねによって行われる押し作用によってそれの休止位置へ戻り、それ自体の戻しばねによってそれの休止位置へ押されている開きラッチを放す。その後では開きラッチは保持された位置にある。図１３に概略示されている第３の段階では、引き外し機構６０と閉じラッチ３８との共通制御器８０の操作レバー８２が第１の表面８１によって押され、かつそれの戻しばねによって押されて下げられた位置へ動く。その後で中間レバー８５が図１０の位置へ旋回する。この旋回が終わると、閉じラッチ３８は、それの前の位置がどのようなものであっても、それの保持されない位置にブロックされ、ラチェットキャッシュ６１のプレート６２が自身でラックホイール４２と駆動ラチェット４４との間に入る。閉じラッチ３８が保持を解除されているために、ローディング及び閉じ機構３０は、それが前からロードされていたならば、この段階の終りには必然的にそれのロードされていない位置にあり、一方、開き機構２０はそれの閉じた位置へ動く。この場合には、極１０は実際に閉じて遮断器１は図３及び図４に示す状態にある。この時刻から、駆動機構４０が引き外し機構６０によって中立化されたという事実のために、ローディングカム４７をもはや駆動することはできない。抜き出しの次の段階を図１４に概略示す。開きラッチ操作レバー９２が、カム５６の第２の表面９１の傾斜部によって再び偏倚させられて、下げられた位置へ旋回し、開きラッチ２６を再び開かせる。この段階が終わると、開閉装置は、最初にそれが開かれている、または閉じられている、ロードされた位置またはロードされていない位置のいずれにあろうが、必然的にロードされていない開放位置にくる。最後に、抜き出しの最後の段階（図示せず）では開きラッチ操作レバー、９２は放され、かつ戻しばねの押し作用のために、それの休止位置へ戻って開きラッチを放す。この開きラッチもそれ自身の戻しばねの押し作用のためにそれの休止位置へ戻る。
【００４１】
したがって、抜き出された遮断器は開かれ、傾動レバーを操作してもローディング機構には何の作用も加えられない。ローディング機構は、一部でも、もはやリセットできず、したがって、保守オペレータに対する潜在的な危険はもはや存在しない。しかし、遮断器がそれのフレームから抜き出されると、操作レバー８２と開きラッチ操作レバー９２を操作することはできる。したがって、それを知っているオペレータは、操作レバー８２を手動で押し下げてそれを道具でブロックすることによって、引き外し機構をわざとだますことができる。このようにして、専門家を不利にすること無く、慣れないオペレータによる危険な操作の誤りを防ぐ装置が得られる。
【００４２】
以上説明した抜き出しのための動作は、遮断器がそれの抜き出されている位置からそれの引き出された位置まで押される時に、逆にできる。
【００４３】
説明する最初の実施形態は閉じラッチと引き外し機構とのための共通の制御器を有する。その制御器は、とくに、３本のアームを有する中間レバー８５を用いており、閉じラッチ及びラチェットキャッシュレバーを同時に、またはほとんど同時に駆動することを可能にする。しかし、この共通制御器を、操作レバーと、フレームに固定されているカムの表面とによっておのおの動作させられる、２つの独立の制御器で置き換えることを考えることができる。その解決策を、本発明の第２の実施形態を表している図１５に概略示す。閉じラッチの制御器１７０が、開閉装置のフレームに固定されている傾斜面によって動作させられる操作レバー１７２と、戻しばねによって偏倚させられている中間カウンタギヤ１７５とを有する。カウンタギヤ１７５を駆動するアームは操作レバー１７２に関節状に連結され、それの駆動されるアームは閉じラッチ１３８のフィンガと共に動作するように構成されている。同様に、引き外し機構１８０の制御器は、フレームに固定されているカムと、戻しばねによって偏倚させられている中間カウンタギヤ１８５とによって作動させられる操作レバー１８２を有する。
【００４４】
この解決策は、引き外し制御の明確な順序付け及び閉じ制御の明確な順序付け及び閉じ制御を得るべきであるとすると、とくに興味がある。
【００４５】
更に、本発明の第２の実施形態は、駆動ラチェット１４４と駆動機構１４０の戻り防止キャッチ１４３とに作動する、それに引き外し機構１６０によって第１の実施形態とは異なる。中間レバー１８５が戻しばねによって図１５で時計回りに駆動されると、それはラチェットキャッシュ１６１のアームを駆動する。そうするとそのラチェットキャッシュは逆時計回りに旋回する。それの移動の第１の部分では、ラチェットキャッシュのプレート１６２が駆動ラチェット１４４から離れ、その後でそれの移動の第２の部分では、ラチェットキャッシュの第２のプレート１６３が戻り防止キャッチ１４３から離れる。駆動ラチェット１４４が離れると、第１の実施形態におけるように、傾動レバー１４５が切り離されるという同じ機能を果たす。戻り防止キャッチ１４３が離れると軸１４１を放すことも可能にされ、したがって、閉じばね１３４が部分的に力を蓄えていたとすると、その閉じばねを放す。２つのラチェットキャッシュプレートの動作の順序のために、閉じばねの緩みは傾動レバー１４５へ伝えられない。これによって事故が起きるどのような危険も無くされる。引き外し機構１６０の操作レバー１４５に作用するカムは、ラチェットキャッシュ１６１がそれの移動の第１の部分を可能にする第１の傾斜面と、ラチェットキャッシュがそれの移動の第２の部分を可能にする第２の傾斜面とを有する。開閉装置のフレームのカムは、駆動ラチェットの離れと戻り防止キャッチの離れとの間で閉じラッチの解放が起きるようにして、閉じラッチの操作レバーと、引き外し機構の操作レバーとに作用する。
【００４６】
当然、第２の実施形態に関して説明した種類の引き外し機構に、第１の実施形態に関して説明した種類の共通制御器によてとくに３つのアームを持つ中間レバーを用いることによって、指令することも可能である。
【００４７】
更に、戻り防止キャッチとラックホイールとの間に配置される、１つのラチェットキャッシュプレートのみを使用することを考えることもできる。この場合には、傾動レバーが傾動しても実際にはローディングカムを駆動せず、レバーがそれの持ち上げられた位置へ動くとカムはそれのロードを解除された位置へ戻る。その結果、閉じばねはそれのロードされた状態へは決して到達しない。
【００４８】
本発明の第３の実施形態を図１６ないし図２０に示す。この実施形態は、１つの操作レバー２９２が開きラッチ２２６と、引き外し機構２６０と、閉じラッチ２３８との共通制御器２９０のために用いられるという事実によって、前の実施形態とは本質的に異なる。
【００４９】
開きラッチ２２６と、閉じラッチ２３８と、引き外し機構２６０とを図１６及び図１９に見ることができる。１つの操作レバー２９２が、図１６ないし図１８にそれぞれ示されている非動作位置と、開き制御位置と、閉じ制御位置とを取ることができる。３つの接触面を持つ中間レバー２８５が単一の制御レバー２９２と、引き外し機構２６０と、閉じラッチ２３８と共に動作するために構成されている。図２０は駆動機構２４０の一部と引き外し機構２６０の一部とを示す。それらは第１の実施形態のそれらに類似する。ラチェットキャッシュ２６１のプレート２６２をラックホイール２４２と駆動ラチェット２４４との間にｔｋうに見ることができる。簡明にするために、ある要素、とくにラチェット戻しばねは示さなかった。中間レバー２８５には逸れ自身の戻しばねは設けられていないが、閉じラッチの戻しばね及びラチェットキャッシュの戻しばねで十分であることが判明していることに注目できる。
【００５０】
中立位置（図１６）では、単一の制御レバー２９２は開きラッチ２２６または中間レバー２８５のどちらも妨害しない。単一の制御レバーは、図１７で逆時計回りに旋回することによって、開き制御位置へ動くと、差し込みを介して開きラッチ２２６と協働してそれを保持されていない位置へ駆動する。単一の制御レバーは、図１８で逆時計回りの向きに、それの閉じ制御位置へ動くと、中間レバー２８５と協働してその中間レバーを図で時計回りの向きに旋回させる。したがって、中間レバー２８５は、閉じラッチ２３８をそれの保持されていない位置へ、及びラチェットキャッシュ２６１のプレート２６２を、駆動ラチェット２４４とラックホイール２４２の間に入れられるような位置へ、ほとんど同時に駆動する。
【００５１】
この装置の動作を次に説明する。引き出された位置では、単一の制御レバー２９２はフレームのカムと共に動作する。そのカムはそのレバーを戻しばねの偏倚に抗して非動作位置に保持する。引き出された位置から抜き出し動作が行われると、単一の制御レバー２９２は、戻しばねの偏倚作用のために、フレームにきつく結び付けられているカムの第１の斜面に接触するようになり、それの開き制御位置へ旋回する。第１の動作が終わると、遮断器は、それの前の状態がどのようなものであっても、開かれる。抜き出しが続行されると、単一の制御レバー２９２は放されて、それの戻しばねによってそれの閉じ制御位置へ駆動される。その後で遮断器の無負荷閉じが起き、ラチェットキャッシュ２６１のプレート２６２が駆動ラチェット２４４とラックホイール２４２との間に入れられる。そうすると装置をリセットすることは不可能である。
【００５２】
この解決策は、抜き出しが行われる際に無負荷放電を阻止しないために、前の解決策と比較して少し劣る。この解決策は抜き出された開閉装置ノードのような再ローディングも阻止し、したがって、抜き出された開閉装置の無負荷放電のどの様な危険も阻止する。この解決策は保守オペレータの保護という要求を満たす。
【００５３】
第１の実施形態の装置におけるように、抜き出しが行われる時に、単一の制御レバーを有する装置を基にしてＯＣＯ動作を行うことも可能である。この結果を得るために図１６ないし図２０の装置に行うべき変更が図２１に示されている。この実施形態によれば、単一の制御手段３９０が単一の制御レバー３９２を有する。この制御レバーは、それの軸線を中心として逆時計回りに旋回することによって、４つの位置、すなわち、非動作位置と、第１の開き制御位置と、閉じ制御位置と、第２の開き制御位置とを取ることができる。それは戻しばねによってそれの第２の開き制御位置へ偏倚させられる。４５°の２つの傾斜面をおのおの構成する２つの凹凸３９４、３９５を有する円板形のカム３９３が単一の制御レバー３９２に固定されている。それらの凹凸は開きラッチ３２６の差し込み３９６と共に動作するために構成されている。これ以外は、この実施形態は図１６ないし図２０に示す実施形態と同じである。
【００５４】
遮断器が引き出された位置にあると、単一の制御レバー３９２は、開閉装置のフレームに固定されているカムの表面と共に動作する。抜き出しが行われると、レバーはフレームのこのカムの第１の傾斜面に遭遇する。そうするとレバーは戻しばねの偏倚作用のために第１の開き制御位置へ旋回することが可能にされる。この旋回中に、カム３９３の第１の凹凸３９４が開きラッチ３２６の差し込み３９６と共に動作してラッチをそれの保持されない位置へ旋回させる。単一の制御レバー３９２のこの旋回段階が終わると、第１の凹凸３９４は開きラッチ３２６の差し込み３９６にはもはや接触しない。開きラッチ３２６はそれ自身の戻しばねの偏倚作用のために再び閉じるように構成されている。遮断器の抜き出しが続行されると、単位置の制御レバー３９２は第２の傾斜面に遭遇する。その傾斜面は、制御レバー３９２の戻しばねの偏倚作用によってその制御レバーをそれの閉じ制御位置へ旋回することを可能にする。第３の実施形態におけるように、この旋回によって中間レバーが旋回させられる。そうすると中間レバーは閉じラッチとラチェットキャッシュをほとんど同時に駆動する。遮断器の抜き出しが続行されると、単一の制御レバー３９２は放されて、カム３９３の第２の凹凸３９５が開きラッチの差し込み３８６と共に第１の凹凸と同じやり方で動作することを可能にして、開きラッチの保持解除と保持とを再び行わせる。
【００５５】
この開閉装置が抜き出された位置から引き出された位置へ動かされると、動作は逆にされて、各段階がそれ自体で逆転できる。
【００５６】
国が定めたある取扱い方は抜き出しが行われる際のローディング解除の手順については規定していない。第２の実施形態及び第４の実施形態の単一のレバー装置で、それらの取扱い方に従うことが依然として可能である。これを行うために単一の制御レバーの旋回を制限し、かつそれが閉じ制御位置に到達することを阻止するストッパを遮断器に単に設けなければならない。したがって、ほとんどの同一の開閉装置で種々のやり方に従うことが可能である。本発明の装置はそれの使用の融通性が極めて高く、かつ種々の市場への供給を意図した製品の間の区別に従うことを可能にする。
【００５７】
最後に、当業者には他のある実施形態が直ちに明らかであろう。たとえば、制御レバー８２と開きラッチ操作レバー９２を、遮断器１によって支持されている他の任意の可動部、たとえば、並進運動できる引っ張り棒で置き換えることができる。
【図面の簡単な説明】
【図１】  従来技術及び本発明の１組の実施形態とに共通である実施形態における、開放位置及びロードされていない位置における開放極及びそれの開き機構を表す。
【図２】  開放位置における図１の極及びロードされた開放位置における開き機構を表す。
【図３】  閉じられた位置における図１の極及びロードされた開放位置における開き機構を表す。
【図４】  従来技術及び本発明に共通である実施形態における、ロードされていない位置におけるローディング及び閉じ機構を表す。
【図５】  ロードされている位置におけるローディング及び閉じ機構を表す。
【図６】  本発明の第１の実施形態によるプラグイン遮断器のためのフレームを斜視図で表す。
【図７】  左側フランジをとくに示す、フレームから引き出された、本発明の第１の実施形態によるプラグイン遮断器のためのフレームを斜視図で表す。
【図８】  結合部を支持する右側フランジをとくに示す、フレームから引き出された、本発明の第１の実施形態による遮断器のためのフレームを別の斜視図で表す。
【図９】  非動作状態における結合部の制御部を示す、本発明の第１の実施形態による遮断器の可動部の右側フランジに平行な平面内の断面図である。
【図１０】  動作状態における結合部の制御部を示す、本発明の第１の実施形態による遮断器の可動部の右側フランジに平行な平面内の断面図である。
【図１１】  本発明の第１の実施形態による遮断器のフレームによって支持されているカムと一緒の開き制御レバー及び閉じ制御レバーの動作の１つを示す略図である。
【図１２】  本発明の第１の実施形態による遮断器のフレームによって支持されているカムと一緒の開き制御レバー及び閉じ制御レバーの動作の他の１つを示す略図である。
【図１３】  本発明の第１の実施形態による遮断器のフレームによって支持されているカムと一緒の開き制御レバー及び閉じ制御レバーの動作の別の１つを示す略図である。
【図１４】  本発明の第１の実施形態による遮断器のフレームによって支持されているカムと一緒の開き制御レバー及び閉じ制御レバーの動作の更に他の１つを示す略図である。
【図１５】  第１の実施形態の図８に対応する、本発明の第２の実施形態の略図である。
【図１６】  単一の制御レバーが非動作位置にある、本発明の第３の実施形態の略図である。
【図１７】  単一の制御レバーが開き制御位置にある、本発明の第３の実施形態の略図である。
【図１８】  単一の制御レバーが閉じ制御位置にある、本発明の第３の実施形態の略図である。
【図１９】  単一の制御レバーを含む制御機構を一層詳細に示す本発明の第３の実施形態の斜視図である。
【図２０】  引き外し機構を一層詳細に示す本発明の第３の実施形態の斜視図である。
【図２１】  本発明の第４の実施形態の単一の制御ラッチの詳細図である。
【符号の説明】
１  遮断器
１１、１２  接点
２０  開き機構
２４  開きばね
２６、１２６、２２６、３２６、  開きラッチ
３０  ローディング及び閉じ機構
３４  閉じばね
３８、１３８、２３８  閉じラッチ
４０、１４０、２４０  駆動機構
４４  可動部
４５、１４５、２４５  駆動部
５０  フレーム
５６  カム
６０、１６０、１８０、２６０  引き外し機構
６２  阻止プレート
８０、２９０、３９０  引き外し機構制御手段
８１  引き外し指令表面
８２、２９２、３９２  可動要素
９０、１９０、３９０  開きラッチ制御手段
１４２、１４３  フリーホイール継手
１４６  回転従動部
１７０  閉じラッチの制御手段
【図１】
0004657398.tif 000002
【図２】
0004657398.tif 000003
【図３】
0004657398.tif 000004
【図４】
0004657398.tif 000005
【図５】
0004657398.tif 000006
【図６】
0004657398.tif 000007
【図７】
0004657398.tif 000008
【図８】
0004657398.tif 000009
【図９】
0004657398.tif 000010
【図１０】
0004657398.tif 000011
【図１１】
0004657398.tif 000012
【図１２】
0004657398.tif 000013
【図１３】
0004657398.tif 000014
【図１４】
0004657398.tif 000015
【図１５】
0004657398.tif 000016
【図１６】
0004657398.tif 000017
【図１７】
0004657398.tif 000018
【図１８】
0004657398.tif 000019
【図１９】
0004657398.tif 000020
【図２０】
0004657398.tif 000021
【図２１】
0004657398.tif 000022